(57)【要約】【課題】浄化設備において浄化対象物の浄化が不十分になったり、装置コストや消費動力の無駄を招くことを回避する。【解決手段】浄化装置Ｎによる浄化により浄化対象物Ａにおいて得られる浄化効果ｊａと相関を有する能力指標値αを定義し、浄化装置Ｎが浄化対象物Ａに及ぼす浄化作用の大きさを能力指標値αにより数値表現する。また、浄化装置Ｎの複数種の浄化作用因子Ｐ，Ｌ，Ｑ，θと能力指標値αとの相関関係を内部相関関係Ｆとして求め、複数種の浄化作用因子Ｐ，Ｌ，Ｑ，θの選定値に対する能力指標値αの対応値を内部相関関係Ｆに基づき演算したり、浄化効果ｊａと能力指標値αとの相関関係を外部相関関係Ｋａとして求め、能力指標値αの選定値に対する浄化効果ｊａの対応値を外部相関関係Ｋａに基づき演算する。【選択図】図２
2010207685.tif 000002
【特許請求の範囲】
【請求項１】
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価方法。
【請求項２】
前記浄化装置における複数種の浄化作用因子と前記能力指標値との相関関係を内部相関関係として求め、
前記複数種の浄化作用因子の選定値に対する前記能力指標値の対応値を前記内部相関関係に基づき演算する請求項１記載の浄化能力評価方法。
【請求項３】
前記浄化効果と前記能力指標値との相関関係を外部相関関係として求め、
前記能力指標値の選定値に対する前記浄化効果の対応値を前記外部相関関係に基づき演算する請求項１又は２記載の浄化能力評価方法。
【請求項４】
前記浄化装置における複数種の浄化作用因子と前記能力指標値との相関関係を内部相関関係として求め、
前記能力指標値の選定値に対する前記複数種の浄化作用因子の対応値を前記内部相関関係に基づき演算する請求項１記載の浄化能力評価方法。
【請求項５】
前記浄化効果と前記能力指標値との相関関係を外部相関関係として求め、
前記浄化効果の選定値に対する前記能力指標値の対応値を前記外部相関関係に基づき演算する請求項１又は４記載の浄化能力評価方法。
【請求項６】
前記浄化装置における複数種の浄化作用因子と前記能力指標値との相関関係を内部相関関係として求め、
前記複数種の浄化作用因子の選定値に対する前記能力指標値の対応値を前記内部相関関係に基づき演算し、
この能力指標値の対応値に対する前記複数種の浄化作用因子の対応値を前記内部相関関係に基づき演算する請求項１記載の浄化能力評価方法。
【請求項７】
前記複数種の浄化作用因子の対応値として算出される算出対応値の組が複数組あることに対し、
前記複数種の浄化作用因子に各組の算出対応値を用いて前記浄化装置を運転した場合の運転評価度が複数組のなかで最も高い組を演算して、この組の算出対応値を前記複数種の浄化作用因子の最適対応値とする請求項４〜６のいずれか１項に記載の浄化能力評価方法。
【請求項８】
浄化対象物に噴出流体を吹き付けることで浄化対象物を浄化する流体噴出ノズルを前記浄化装置とし、
この流体噴出ノズルにおける流体噴出圧力と流体吹付距離と流体噴出流量と流体噴出角度とのうちの少なくとも２つを前記複数種の浄化作用因子とする請求項１〜７のいずれか１項に記載の浄化能力評価方法。
【請求項９】
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化装置における複数種の浄化作用因子と前記能力指標値との相関関係を内部相関関係として記憶する内部関係用の記憶手段と、
前記複数種の浄化作用因子の入力値に対する前記能力指標値の対応値を前記内部関係用の記憶手段が記憶する前記内部相関関係に基づき演算して出力する内部関係用の演算手段とを設けてある浄化能力評価システム。
【請求項１０】
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化効果と前記能力指標値との相関関係を外部相関関係として記憶する外部関係用の記憶手段と、
前記能力指標値の入力値に対する前記浄化効果の対応値を前記外部関係用の記憶手段が記憶する前記外部相関関係に基づき演算して出力する外部関係用の演算手段とを設けてある浄化能力評価システム。
【請求項１１】
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化装置における複数種の浄化作用因子と前記能力指標値との相関関係を内部相関関係として記憶する内部関係用の記憶手段と、
前記能力指標値の入力値に対する前記複数種の浄化作用因子の対応値を前記内部関係用の記憶手段が記憶する前記内部相関関係に基づき演算して出力する内部関係用の演算手段とを設けてある浄化能力評価システム。
【請求項１２】
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化効果と前記能力指標値との相関関係を外部相関関係として記憶する外部関係用の記憶手段と、
前記浄化効果の入力値に対する前記能力指標値の対応値を前記外部関係用の記憶手段が記憶する前記外部相関関係に基づき演算して出力する外部関係用の演算手段とを設けてある浄化能力評価システム。
【請求項１３】
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化装置における複数種の浄化作用因子と前記能力指標値との相関関係を内部相関関係として記憶する内部関係用の記憶手段と、
前記複数種の浄化作用因子の入力値に対する前記能力指標値の対応値を前記内部関係用の記憶手段が記憶する前記内部相関関係に基づき演算して出力する内部関係用の演算出段を設け、
この内部関係用の演算手段は、前記能力指標値の入力値に対する前記複数種の浄化作用因子の対応値を前記内部関係用の記憶手段が記憶する前記内部相関関係に基づき演算して出力する逆演算が可能な構成にしてある浄化能力評価システム。
【請求項１４】
前記内部関係用の演算手段が前記複数種の浄化作用因子の対応値として算出した算出対応値の組が複数組あることに対し、
前記複数種の浄化作用因子に各組の算出対応値を用いて前記浄化装置を運転した場合の運転評価度が複数組のなかで最も高い組を演算して、この組の算出対応値を前記複数種の浄化作用因子の最適対応値として出力する最適化手段を設けてある請求項１１又は１３記載の浄化能力評価システム。
【発明の詳細な説明】
【技術分野】
【０００１】
本発明は、搬送される自動車ボディを順次に塗装する塗装ラインにおいて塗装前の自動車ボディを洗浄水の吹き付けにより洗浄する浄化装置など、各種浄化装置の浄化能力を評価するのに用いる浄化能力評価方法及び浄化能力評価システムに関する。
【背景技術】
【０００２】
従来、上記の如き塗装ライン（特許文献１参照）では、洗浄した塗装前の自動車ボディをコンベア搬送などで順次に塗装工程に送ることが必要なことから、洗浄した自動車ボディの個々に対し例えば顕微鏡を用いて微細な残留異物の個数を測定するなどの精緻な検査は行なうことができず、このため、洗浄した自動車ボディの浄化効果をフィードバックして浄化装置を調整するといったことは行なえず、浄化装置の浄化作用因子である洗浄水の噴出圧力や噴出流量などは経験的な判断で決定されていた。
【０００３】
そして、自動車ボディの塗装ラインに限らず、各種の浄化装置において浄化に続く工程との関係などから同様の事情にある事例は多く存在する。
【先行技術文献】
【特許文献】
【０００４】
【特許文献１】特開２００２−１９４５９５号
【発明の概要】
【発明が解決しようとする課題】
【０００５】
ところで、噴出洗浄水により自動車ボディを洗浄する浄化装置を初め、各種浄化装置においては、上記洗浄水の噴出圧力や噴出流量など浄化装置における浄化作用因子の個々は定量的に把握して調整ができるものの、浄化装置が浄化対象物に対して及ぼす浄化作用の程度（即ち、複数種の浄化作用因子の総合により得られる浄化作用の程度）は定量的に把握することができないのが実情である。
【０００６】
また、浄化対象物で得られる浄化効果も上述の如く精緻な検査を行えない状況では定量的に把握することができず、これらのことが原因で従来の浄化設備では、浄化が不十分で浄化対象物の最終品質の低下を招く（塗装前の自動車ボディの洗浄の場合で言えば塗装品質の低下を招く）、また、最終品質を維持するための手直し作業の負担が大きいなどの問題があった。
【０００７】
また更に、高圧ポンプを用いて洗浄水の噴出圧力を高めるなど浄化装置における浄化作用因子の一つを増強して浄化効果の向上を図るものの、それによる装置コストや消費動力の大幅な増大の割にはそれほど高い浄化効果が得られていないなどの無駄を招く問題もあった。
【０００８】
この実情に鑑み、本発明の主たる課題は、上記の如き問題を効果的に解消することができる浄化能力評価方法及び浄化能力評価システムを提供する点にある。
【課題を解決するための手段】
【０００９】
本発明の第１特徴構成は浄化能力評価方法に係り、その特徴は、
浄化装置による浄化により浄化対象物において得られる浄化効果と相関を有する能力指標値を定義し、
前記浄化装置が浄化対象物に及ぼす浄化作用の大きさを前記能力指標値により数値表現する点にある。
【００１０】
つまり、この方法によれば、浄化装置が浄化対象物に及ぼす浄化作用の大きさ（換言すれば、浄化対象物に及ぼす有効浄化エネルギの大きさといったもの）を上記能力指標値により定量的に把握できるようになるから、浄化装置の能力的な評価を的確にして、要求される浄化度や浄化の難易度に応じた浄化装置の調整や選定を的確に行なうことができ、これにより、先述の如き浄化が不十分で浄化対象物の最終品質の低下を招くなどの従来の問題を効果的に解消することができて、手直し作業の負担を効果的に低減し、また、装置コストや消費動力の浪費なども効果的に回避しながら浄化対象物の最終品質を高く維持することが可能になる。
【００１１】
また、この方法によれば、これまで使用している浄化装置に比べ改善予定の浄化装置が浄化効果の面においてどの程度優れているかといったことも、上記能力指標値をもって定量的に比較評価することができ、これにより、浄化設備の更新計画の策定なども従来に比べ一層適切かつ容易に行うことができる。
【００１２】
なお、この方法の実施において上記能力指標値は浄化装置が浄化対象物に及ぼす物理的なエネルギ量そのものを公用単位をもって表すものである必要はなく、能力指標値の値をもって浄化対象物が受ける浄化作用の大きさを相対的に把握できるものであればよい。
【００１３】
本発明の第２特徴構成は、第１特徴構成の浄化能力評価方法の実施に好適な実施形態を特定するものであり、その特徴は、
前記浄化装置における複数種の浄化作用因子と前記能力指標値との相関関係を内部相関関係として求め、
前記複数種の浄化作用因子の選定値に対する前記能力指標値の対応値を前記内部相関関係に基づき演算する点にある。
【００１４】
つまり、この方法によれば、浄化装置において定量的に把握できる複数種の浄化作用因子から上記演算をもって前記能力指標値を算出することができる。
【００１５】
即ち、能力指標値は、換言すれば浄化装置における複数種の浄化作用因子の総合により浄化対象物に与える浄化作用の大きさを数値表現するものである。
【００１６】
なお、この方法の実施において内部相関関係に基づく能力指標値の演算は、数式による演算に限られるものではなく、内部相関関係をグラフ化した演算図や内部相関関係を表形式で表現した演算表などを用いて能力指標値を求めるものであってもよい。
【００１７】
本発明の第３特徴構成は、第１又は第２特徴構成の浄化能力評価方法の実施に好適な実施形態を特定するものであり、その特徴は、
前記浄化効果と前記能力指標値との相関関係を外部相関関係として求め、
前記能力指標値の選定値に対する前記浄化効果の対応値を前記外部相関関係に基づき演算する点にある。
【００１８】
つまり、この方法によれば、浄化装置の能力指標値から上記演算をもって、その浄化装置による浄化で得られる浄化効果を定量的に算出することができる。
【００１９】
そして、この方法によれば、能力指標値を用いて行なう浄化装置の能力的な評価を浄化効果の具体的な値をもって裏付けたものにすることができて、その評価を一層的確かつ信頼性の高いものにすることができる。
【００２０】
なお、この方法の実施において外部相関関係に基づく浄化効果の演算は、数式による演算に限られるものではなく、外部相関関係をグラフ化した演算図や外部相関関係を表形式で表現した演算表などを用いて浄化効果を求めるものであってもよい。
【００２１】
また、第２特徴構成の評価方法において算出した能力指標値の対応値を第３特徴構成の評価方法における演算での能力指標値の選定値として、第２及び第３特徴構成の評価方法を組み合わせ実施すれば、浄化装置における複数種の浄化作用因子からその浄化装置による浄化で得られる具体的な浄化効果を算出することができる。
【００２２】
本発明の第４特徴構成は、第１特徴構成の浄化能力評価方法の実施に好適な実施形態を特定するものであり、その特徴は、
前記浄化装置における複数種の浄化作用因子と前記能力指標値との相関関係を内部相関関係として求め、
前記能力指標値の選定値に対する前記複数種の浄化作用因子の対応値を前記内部相関関係に基づき演算する点にある。
【００２３】
つまり、この方法によれば、所要の能力指標値を有する浄化装置を得るのに要する複数種の浄化作用因子夫々の具体的な値を上記演算により算出することができる。
【００２４】
したがって、その算出値に従って浄化装置における複数種の浄化作用因子の夫々を設定することで、所要の能力指標値を有する浄化装置（即ち、所要の有効浄化エネルギを発揮できる浄化装置）を容易かつ確実に構築することができる。
【００２５】
なお、この方法の実施において内部相関関係に基づく複数種の浄化作用因子の演算は、前述と同様、数式による演算に限られるものではなく、内部相関関係をグラフ化した演算図や内部相関関係を表形式で表現した演算表などを用いて複数種の浄化作用因子を求めるものであってもよい。
【００２６】
また、上記演算で複数種の浄化作用因子の対応値として算出される算出対応値の組が複数組ある場合には、それら複数組の中から種々の選択条件に従って適当な組を選択し、その選択組の算出対応値を採用するようにすればよい。
【００２７】
本発明の第５特徴構成は、第１又は第４特徴構成の浄化能力評価方法の実施に好適な実施形態を特定するものであり、その特徴は、
前記浄化効果と前記能力指標値との相関関係を外部相関関係として求め、
前記浄化効果の選定値に対する前記能力指標値の対応値を前記外部相関関係に基づき演算する点にある。
【００２８】
つまり、この方法によれば、所要の浄化効果を得るのに要する能力指標値の具体的な値を上記演算により算出することができる。
【００２９】
したがって、その算出値の能力指標値を備える浄化装置をもって浄化対象物を浄化すれば所要の浄化効果を確実に得ることができる。
【００３０】
なお、この方法の実施において外部相関関係に基づく能力指標値の演算は、前述と同様、数式による演算に限られるものではなく、外部相関関係をグラフ化した演算図や外部相関関係を表形式で表現した演算表などを用いて能力指標値を求めるものであってもよい。
【００３１】
また、この第５特徴構成の評価方法において算出した能力指標値の対応値を第４特徴構成の評価方法における演算での能力指標値の選定値として、第５及び第４特徴構成を組み合わせ実施すれば、所要の浄化効果からその浄化効果を得るのに要する複数種の浄化作用因子夫々の具体的な値を算出することができる。
【００３２】
本発明の第６特徴構成は、第１特徴構成の浄化能力評価方法の実施に好適な実施形態を特定するものであり、その特徴は、
前記浄化装置における複数種の浄化作用因子と前記能力指標値との相関関係を内部相関関係として求め、
前記複数種の浄化作用因子の選定値に対する前記能力指標値の対応値を前記内部相関関係に基づき演算し、
この能力指標値の対応値に対する前記複数種の浄化作用因子の対応値を前記内部相関関係に基づき演算する点にある。
【００３３】
つまり、この方法によれば、上記演算で複数種の浄化作用因子の対応値として算出される算出対応値の組が一般には複数組存在することから、それら複数組のうち先の演算の元値である選定値と同じ算出対応値の組を除いた組の算出対応値を採用することで、先の演算の元値である選定値を採用する浄化装置（例えば、現行使用の浄化装置）と能力指標値については同じで得られる浄化効果が同じでありながら、この浄化装置とは浄化作用因子の値が異なる別仕様の浄化装置（例えば改善案としての浄化装置）を構築することができる。
【００３４】
なお、この方法の実施において内部相関関係に基づく能力指標値の演算や複数種の浄化作用因子の演算は、前述と同様、数式による演算に限られるものではなく、内部相関関係をグラフ化した演算図や内部相関関係を表形式で表現した演算表などを用いて能力指標値や浄化作用因子を求めるものであってもよい。
【００３５】
本発明の第７特徴構成は、第４〜第６特徴構成のいずれかの浄化能力評価方法の実施に好適な実施形態を特定するものであり、その特徴は、
前記複数種の浄化作用因子の対応値として算出される算出対応値の組が複数組あることに対し、
前記複数種の浄化作用因子に各組の算出対応値を用いて前記浄化装置を運転した場合の運転評価度が複数組のなかで最も高い組を演算して、この組の算出対応値を前記複数種の浄化作用因子の最適対応値とする点にある。
【００３６】
つまり、この方法によれば、上記運転評価度として例えば省エネルギ度を採用した場合、複数種の浄化作用因子の最適値として最も高い省エネルギ度を得ることができる値が上記演算により算出されるから、その算出最適値に従って浄化装置における複数種の浄化作用要因を設定することで、その浄化装置の運転において高い省エネルギ効果を得ることができる。
【００３７】
また同様に、運転評価度として換算二酸化炭素排出量の低減度を採用すれば、その浄化装置の運転において換算二酸化炭素排出量の低減を効果的に達成することができる。
【００３８】
なお、第７特徴構成の実施において運転評価度は省エネルギ度や換算二酸化炭素排出量の低減度に限られるものではなく、演算により高低を判定できるものであればどのようなものであってもよい。
【００３９】
本発明の第８特徴構成は、第１〜第７特徴構成のいずれかの浄化能力評価方法の実施に好適な実施形態を特定するものであり、その特徴は、
浄化対象物に噴出流体を吹き付けることで浄化対象物を浄化する流体噴出ノズルを前記浄化装置とし、
この流体噴出ノズルにおける流体噴出圧力と流体吹付距離と流体噴出流量と流体噴出角度とのうちの少なくとも２つを前記複数種の浄化作用因子とする点にある。
【００４０】
つまり、この方法によれば、流体噴出ノズルからの噴出流体の吹き付けにより浄化対象物を浄化することにおいて、その流体吹き付けにより浄化対象物に及ぼす浄化作用の大きさ（即ち、流体噴出圧力や流体吹付距離などの流体噴出ノズルにおける複数種の浄化作用因子の総合により浄化対象物に与え得る浄化作用の大きさ）を前記能力指標値により定量的に把握することができる。
【００４１】
そして、この第８特徴構成の実施において前述の第２〜第７特徴構成を組み合わせ実施すれば、流体吹き付けにより浄化対象物を浄化する流体噴出ノズルについて第２〜第７特徴構成の評価方法による既述の如き効果を得ることができる。
【００４２】
本発明の第９特徴構成は浄化能力評価システムに係り、その特徴は、
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化装置における複数種の浄化作用因子と前記能力指標値との相関関係を内部相関関係として記憶する内部関係用の記憶手段と、
前記複数種の浄化作用因子の入力値に対する前記能力指標値の対応値を前記内部関係用の記憶手段が記憶する前記内部相関関係に基づき演算して出力する内部関係用の演算手段とを設けてある点にある。
【００４３】
つまり、この評価システムによれば、前述第２特徴構成の評価方法を上記内部関係用の演算手段による自動演算処理により能率良く実施することができ、第２特徴構成の評価方法による既述効果を容易に得ることができる。
【００４４】
本発明の第１０特徴構成は浄化能力評価システムに係り、その特徴は、
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化効果と前記能力指標値との相関関係を外部相関関係として記憶する外部関係用の記憶手段と、
前記能力指標値の入力値に対する前記浄化効果の対応値を前記外部関係用の記憶手段が記憶する前記外部相関関係に基づき演算して出力する外部関係用の演算手段とを設けてある点にある。
【００４５】
つまり、この評価システムによれば、前述第３特徴構成の評価方法を上記外部関係用の演算手段による自動演算処理により能率良く実施することができ、第３特徴構成の評価方法による既述効果を容易に得ることができる。
【００４６】
なお、第９特徴構成の評価システムで内部関係用の演算手段が演算した能力指標値の対応値を第１０特徴構成の評価システムにおける能力指標値の入力値として外部関係用の演算手段に入力する形態で第９及び第１０特徴構成の評価システムを組み合わせ実施すれば、浄化装置における複数種の浄化作用因子からその浄化装置による浄化で得られる具体的な浄化効果を演算することができる。
【００４７】
また、この場合、内部関係用の演算手段が演算した能力指標値の対応値を上記能力指標値の入力値として上記外部関係用の演算手段に自動的に入力するシステム構成にしてもよい。
【００４８】
本発明の第１１特徴構成は浄化能力評価システムに係り、その特徴は、
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化装置における複数種の浄化作用因子と前記能力指標値との相関関係を内部相関関係として記憶する内部関係用の記憶手段と、
前記能力指標値の入力値に対する前記複数種の浄化作用因子の対応値を前記内部関係用の記憶手段が記憶する前記内部相関関係に基づき演算して出力する内部関係用の演算手段とを設けてある点にある。
【００４９】
つまり、この評価システムによれば、前述第４特徴構成の評価方法を上記内部関係用の演算手段による自動演算処理により能率良く実施することができ、第４特徴構成の評価方法による既述効果を容易に得ることができる。
【００５０】
本発明の第１２特徴構成は浄化能力評価システムに係り、その特徴は、
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化効果と前記能力指標値との相関関係を外部相関関係として記憶する外部関係用の記憶手段と、
前記浄化効果の入力値に対する前記能力指標値の対応値を前記外部関係用の記憶手段が記憶する前記外部相関関係に基づき演算して出力する外部関係用の演算手段とを設けてある点にある。
【００５１】
つまり、この評価システムによれば、前述第５特徴構成の評価方法を上記外部関係用の演算手段による自動演算処理により能率良く実施することができ、第５特徴構成の評価方法による既述効果を容易に得ることができる。
【００５２】
なお、第１２特徴構成の評価システムで外部関係用の演算手段が演算した能力指標値の対応値を第１１特徴構成の評価システムにおける能力指標値の入力値として内部関係用の演算手段に入力する形態で第１２及び第１１特徴構成の評価システムを組み合わせ実施すれば、所要の浄化効果からその浄化効果を得るのに要する複数種の浄化作用因子夫々の具体的な値を算出することができる。
【００５３】
また、この場合、外部関係用の演算手段が演算した能力指標値の対応値を上記能力指標値の入力値として上記内部関係用の演算手段に自動的に入力するシステム構成にしてもよい。
【００５４】
本発明の第１３特徴構成は浄化能力評価システムに係り、その特徴は、
浄化装置による浄化により浄化対象物において得られる浄化効果と相関を有する能力指標値を定義し、
前記浄化装置が浄化対象物に及ぼす浄化作用の大きさを前記能力指標値により数値表現する浄化能力評価システムであって、
前記浄化装置における複数種の浄化作用因子と前記能力指標値との相関関係を内部相関関係として記憶する内部関係用の記憶手段と、
前記複数種の浄化作用因子の入力値に対する前記能力指標値の対応値を前記内部関係用の記憶手段が記憶する前記内部相関関係に基づき演算して出力する内部関係用の演算出段を設け、
この内部関係用の演算手段は、前記能力指標値の入力値に対する前記複数種の浄化作用因子の対応値を前記内部関係用の記憶手段が記憶する前記内部相関関係に基づき演算して出力する逆演算が可能な構成にしてある点にある。
【００５５】
つまり、この評価システムによれば、先の演算で得た能力指標値の対応値を能力指標値の入力値として内部関係用の演算手段に入力する形態で上記逆演算を行なわせることにより、前述第６特徴構成の評価方法を上記１つの内部関係用演算手段による自動演算処理により能率良く実施することができて、第６特徴構成の評価方法による既述効果を容易に得ることができる。
【００５６】
そしてまた、このように第６特徴構成の評価方法を上記１つの内部関係用演算手段により実施できることで、その評価方法を各別の内部関係用演算手段により実施するシステム構成に比べ、評価システムのシステム構成をコンパクト化することができる。
【００５７】
なお、先の演算で得た能力指標値の対応値を能力指標値の入力値として内部関係用の演算手段に入力する形態で上記逆演算を行なわせる場合、その入力を自動的に行なうシステム構成にしてもよい。
【００５８】
また、この構成の評価システムによれば、複数種の浄化作用因子の入力値に対する能力指標値の対応値を演算させる言わば順演算と上記逆演算とを個別に単独実施させることもできる。
【００５９】
本発明の第１４特徴構成は、第１１又は第１３特徴構成の浄化能力評価システムの実施に好適な実施形態を特定するものであり、その特徴は、
前記内部関係用の演算手段が前記複数種の浄化作用因子の対応値として算出した算出対応値の組が複数組あることに対し、
前記複数種の浄化作用因子に各組の算出対応値を用いて前記浄化装置を運転した場合の運転評価度が複数組のなかで最も高い組を演算して、この組の算出対応値を前記複数種の浄化作用因子の最適対応値として出力する最適化手段を設けてある点にある。
【００６０】
つまり、この評価システムによれば、前述第７特徴構成の評価方法を上記最適化手段による自動演算処理により能率良く実施することができ、第７特徴構成の評価方法による既述効果を容易に得ることができる。
【００６１】
なお、第９〜第１４特徴構成の評価システムは、２つ以上を組み合わせて実施してもよく、その場合、各特徴構成の記憶手段を兼用化したり、各特徴構成の演算手段を逆演算可能にするなどして兼用化するのが望ましい。
【図面の簡単な説明】
【００６２】
【図１】塗装ラインの前処理工程部を示す設備構成図
【図２】洗浄ノズルの概略構成図
【図３】能力評価システムのシステム構成図
【図４】洗浄効果と能力指標値との相関関係を示すグラフ
【発明を実施するための形態】
【００６３】
図１は搬送される自動車ボディＡを順次塗装する塗装ラインにおいて、塗装前の自動車ボディＡに前処理を施す前処理工程部を示し、溶接作業を終えた塗装前の自動車ボディＡは、予洗部１、脱脂処理部２、第一水洗部３、第二水洗部４、表面調整部５、化成皮膜形成部６、第三〜第六水洗部７〜１０、及び、純水水洗部１１をその順に経て塗装工程部に搬送される。
【００６４】
図２は第一水洗部３及び第六水洗部１０を代表例として、それら第一及び第六水洗部３，１０で自動車ボディＡを洗浄する浄化装置としての水洗ノズルＮ（流体噴出ノズル）を示し、この水洗ノズルＮからの噴出洗浄水Ｗを浄化対象物である自動車ボディＡに対して吹き付けることで、第一水洗部３では自動車ボディＡの表面に付着ないし溶着している微細異物（いわゆるゴミやブツ）を除去する。
【００６５】
また、第六水洗部１０では、化成皮膜形成部６において生成皮膜中に埋まる状態で自動車ボディＡの表面に付着した化成スラッジや共析物などの微細異物を水洗ノズルＮからの噴出洗浄水Ｗの吹き付けにより除去する。
【００６６】
これら微細異物が自動車ボディＡの表面に残留した状態で自動車ボディＡに後続の塗装処理を施すと、微細異物を覆う塗膜により大きさが拡大された異物付着部が大きな欠陥部として塗膜上に残る。そして、所要の塗装品質を確保するにはこの欠陥部に対する研ぎ作業などの手直し作業が必要になるが、この手直し作業には多大な手間を要するため上記水洗ノズルＮによる洗浄には極力高い洗浄効果（即ち、浄化効果）が要求される。
【００６７】
水洗ノズルＮは洗浄水Ｗを扁平な扇型パターンの噴出水流にして自動車ボディＡに対し吹き付けるものであり、この水洗ノズルＮの洗浄作用因子である洗浄水Ｗの噴出圧力Ｐ、吹付距離Ｌ（即ち、水洗ノズルＮから自動車ボディＡまでの距離）、噴出流量Ｑ、噴出角度θ（噴出水流の扇型パターンの中心角に該当）の夫々は従来、経験測により決定されていたが、本例の水洗ノズルＮでは次の能力指標値αを用いて洗浄ノズルＮにおける上記洗浄作用因子Ｐ，Ｌ，Ｑ，θを決定する。
【００６８】
能力指標値αは、浄化装置による浄化により浄化対象物において得られる浄化効果と相関を有するものであり、この能力指標値αにより浄化装置が浄化対象物に及ぼす浄化作用の大きさ（つまり、浄化装置における複数種の浄化作用因子が総合して浄化対象物に与える浄化作用の大きさ）を定量的に表現する。
【００６９】
即ち、上記水洗ノズルＮの場合、この能力指標値αは水洗ノズルＮによる洗浄により自動車ボディＡにおいて得られる洗浄効果（具体的には微細異物の除去率）と相関を有し、洗浄ノズルＮが上記洗浄作用因子Ｐ，Ｌ，Ｑ，θの総合として自動車ボディＡに与える洗浄作用の大きさ（言わば、有効洗浄エネルギといったもの）を定量的に表すものであり、具体的には次の（式１）により与えられる。
能力指標値α＝Ｆ（噴出圧力Ｐ、吹付距離Ｌ、噴出流量Ｑ、噴出角度θ）……（式１）
【００７０】
図３はこの能力指標値αを用いて水洗ノズルＮの能力的な評価を行なう洗浄能力評価システム１２を示し、この評価システム１２は汎用コンピュータシステムを用いて構成してあり、記憶手段１３、演算手段１４、最適化手段１５、入力手段１６、出力手段１７を備えている。
【００７１】
記憶手段１３としては、水洗ノズルＮの洗浄作用因子Ｐ，Ｌ，Ｑ，θと能力指標値αとの相関関係Ｆを内部相関関係として記憶する内部関係用の記憶手段１３ａと、
第一水洗部３での水洗ノズルＮによる洗浄で得られる洗浄効果（ゴミ、ブツの除去率ｊａ）と能力指標値αとの図４（ａ）に示す如き相関関係Ｋａを第１外部相関関係として記憶するとともに、
第六水洗部１０での水洗ノズルＮによる洗浄で得られる洗浄効果（化成スラッジの除去率ｊｂ、共析物の除去率ｊｃ）と能力指標値αとの図４（ｂ）に示す如き相関関係Ｋｂ，Ｋｃを第２及び第３外部相関関係として記憶する外部関係用の記憶手段１３ｂとを備えている。
【００７２】
具体的には、これら記憶手段１３ａ，１３ｂは汎用コンピュータシステムのハードディスクあるいはＤＶＤドライブに挿入したＤＶＤなどにより構成される。
【００７３】
また、上記内部相関関係Ｆ及び第１〜第３の外部相関関係Ｋａ〜Ｋｃは、実験等により求めたものを数式化又はデータテーブル化して記憶手段１３に記憶させたものである。
【００７４】
演算手段１４としては、入力手段１６により入力された洗浄作用因子Ｐ，Ｌ，Ｑ，θの入力値（選定値）に対する能力指標値αの対応値を内部関係用の記憶手段１３ａが記憶する内部相関関係Ｆに基づき演算して出力手段１７に出力する内部関係用の演算手段１４ａと、
入力手段１６により入力された能力指標値αの入力値に対する洗浄効果ｊａ，ｊｂ，ｊｃの対応値を外部関係用の記憶手段１３ｂが記憶する第１〜第３の外部相関関係Ｋａ，Ｋｂ，Ｋｃに基づき演算して出力手段１７に出力する外部関係用の演算手段１４ｂとを備えている。
【００７５】
また、内部関係用の演算手段１４ａは、入力手段１６により入力された能力指標値αの入力値（選定値）に対する洗浄作用因子Ｐ，Ｌ，Ｑ，θの対応値を内部関係用の記憶手段１３ａが記憶する内部相関関係Ｆに基づき演算して出力手段１７に出力する逆演算機能を備えるものにしてある。
【００７６】
同様に、外部関係用の演算手段１４ｂは、入力手段１６により入力された洗浄効果ｊａ，ｊｂ，ｊｃの入力値に対する能力指標値αの対応値を外部関係用の記憶手段１３ｂが記憶する第１〜第３の外部相関関係Ｋａ，Ｋｂ，Ｋｃに基づき演算して出力手段１７に出力する逆演算機能を備えるものにしてある。
【００７７】
具体的には、これら演算手段１４ａ，１４ｂは、汎用コンピュータシステムの中央演算処理装置及びハードディスクに格納した評価システム実行プログラムＰＧにより構成され、入力手段１６は汎用コンピュータシステムのキーボードやマウス等により構成され、出力手段１７は汎用コンピュータシステムのディスプレイやプリンタ等により構成される。
【００７８】
最適化手段１５は、内部関係用の演算手段１３ａが洗浄作用因子Ｐ，Ｌ，Ｑ，θの対応値として算出した算出対応値の組が複数組ある場合に、水洗ノズルＮの洗浄作用因子Ｐ，Ｌ，Ｑ，θに各組の算出対応値を用いて水洗ノズルＮのシミュレート運転を行ない、このシミュレート運転において所定の運転評価度Ｘが複数組の中で最も高い組を演算して抽出し、この抽出組の算出対応値を洗浄作用因子Ｐ，Ｌ，Ｑ，θの最適対応値として出力手段１７に出力するものである。
【００７９】
具体的には、この最適化手段１５は、演算手段１４と同様、汎用コンピュータシステムの中央演算処理装置及びハードディスクに格納した評価システム実行プログラムＰＧにより構成される。
【００８０】
なお、最適化手段１５において採用する運転評価度Ｘとしては、省エネルギ度、換算二酸化炭素排出量の低減度、運転コストの低減度、あるいはまた、それらを複合したものなど種々のものを選択的に設定することができる。
【００８１】
第一水洗部３における水洗ノズルＮの洗浄作用因子Ｐ，Ｌ，Ｑ，θを決定するには（図４（ａ）参照）、第一水洗部３での水洗ノズルＮによる洗浄において要求される洗浄効果ｊａの要求値ａ（本例ではａ≒１００％）を入力することにより外部関係用演算手段１４ｂの逆演算機能をもって、その洗浄効果ｊａの要求値ａを得るのに要する能力指標値αの対応値ａ′を算出する。
【００８２】
続いて、この演算で算出した能力指標値αの対応値ａ′を入力することにより内部関係用演算手段１４ａの逆演算機能をもって、その能力指標値αの対応値ａ′を得ることができる洗浄作用因子Ｐ，Ｌ，Ｑ，θの複数組の対応値ａ１″〜ａｎ″（図示省略）を算出する。
【００８３】
そして、これら洗浄作用因子Ｐ，Ｌ，Ｑ，θの複数組の算出対応値ａ１″〜ａｎ″を入力することにより最適化手段１５の演算抽出機能をもって、それら複数組の算出対応値ａ１″〜ａｎ″のうち所定の運転評価度Ｘ（例えば省エネルギ度）が最も高くなる組の算出対応値ａｘ″を最適対応値として算出し、この最適対応値ａｘ″を第一水洗部３における水洗ノズルＮついての洗浄作用因子Ｐ，Ｌ，Ｑ，θの設定値とする。
【００８４】
また同様に、第六水洗部１０における水洗ノズルＮの洗浄作用因子Ｐ，Ｌ，Ｑ，θを決定するには（図４（ｂ）参照）、第六水洗部１０での水洗ノズルＮによる洗浄において要求される洗浄効果ｊｂ，ｊｃの要求値ｂ，ｃ（本例ではｂ，ｃ≒１００％）を入力することにより外部関係用演算手段１４ｂの逆演算機能をもって、それら洗浄効果ｊｂ，ｊｃの要求値ｂ，ｃを得るのに要する能力指標値αの対応値ｂ′，ｃ′を算出する。
【００８５】
続いて、この演算で算出した能力指標値αの対応値ｂ′，ｃ′のうち大きい方の対応値ｃ′（即ち、所要の洗浄効果を得るのに要する能力指標値αがより高い方のもの）を入力することにより内部関係用演算手段１４ａの逆演算機能をもって、その能力指標値αの対応値ｃ′を得ることができる洗浄作用因子Ｐ，Ｌ，Ｑ，θの複数組の対応値ｃ１″〜ｃｎ″（図示省略）を算出する。
【００８６】
そして、これら洗浄作用因子Ｐ，Ｌ，Ｑ，θについての複数組の算出対応値ｃ１″〜ｃｎ″を入力することにより最適化手段１５の演算抽出機能をもって、それら複数組の算出対応値ｃ１″〜ｃｎ″のうち所定の運転評価度Ｘ（例えば省エネルギ度）が最も高くなる組の算出対応値ｃｘ″を最適対応値として算出し、この最適対応値ｃｘ″を第六水洗部１０における水洗ノズルＮについての洗浄作用因子Ｐ，Ｌ，Ｑ，θの設定値とする。
【００８７】
なお、ここでは外部関係用演算手段１４ｂにより算出された能力指標値αの対応値ａ′〜ｃ′の内部関係用演算手段１４ａへの入力、及び、内部関係用演算手段１４ａにより算出された洗浄作用因子Ｐ，Ｌ，Ｑ，θの対応値ａ″〜ｃ″の最適化手段１５への入力を人為的に行なうように説明したが、これらの入力は洗浄能力評価システム１２において自動的に行なわれるようにするのが望ましい。
【００８８】
また、最適化手段１５は、所定の運転評価度Ｘ（例えば省エネルギ度）が最も高い組の算出対応値ｃｘ″を最適対応値として出力することに加え、所定の運転評価度Ｘが何番目かまでの高い組の算出対応値も順位を付けて出力する構成にし、これら出力された上位何番目かまでの組の中から適当な組を人為的に選択するようにしてもよい。
【００８９】
洗浄能力評価システム１２は、水洗ノズルＮの上記如き仕様決定の他、現在使用している水洗ノズルＮの評価などにも使用することができ、例えば（図４（ａ）参照）、現在使用している水洗ノズルＮの洗浄作用因子Ｐ，Ｌ，Ｑ，θの現状値ｄ″（選定値）を入力することにより内部関係用演算手段１４ａの演算機能をもって、現在使用している水洗ノズルＮの能力指標値αの現状値ｄ′（対応値）を算出することができる。
【００９０】
また、この演算で算出された能力指標値αの現状値ｄ′を入力することにより外部関係用演算手段１４ｂの演算機能をもって、現在使用している水洗ノズルＮで得られる洗浄効果ｊａの現状値ｄ（対応値）も算出することができる。
【００９１】
一方、現在使用している水洗ノズルＮの能力指標値αの上記現状値ｄ′を入力することにより内部演算手段１４ａの逆演算機能をもって、現在使用している水洗ノズルＮと同じ能力指標値α（α＝ｄ′）を得ることができる洗浄作用因子Ｐ，Ｌ，Ｑ，θの複数組の対応値ｄ１″〜ｄｎ″（図示省略）を得ることできる。
【００９２】
そしてまた、この演算で算出された洗浄作用因子Ｐ，Ｌ，Ｑ，θについての複数組の対応値ｄ１″〜ｄｎ″を入力することにより最適化手段１５の演算抽出機能をもって、それら複数組の対応値ｄ１″〜ｄｎ″のうち所定の運転評価度Ｘ（例えば省エネルギ度）が最も高くなる組の対応値ｄｘ″（最適対応値）を算出することもできる。
【００９３】
〔別実施形態〕
前述の実施形態では、汎用コンピュータシステムを用いて浄化能力評価システムを構成した例を示したが、内部相関関係Ｆや外部相関関係Ｋａ〜Ｋｃを記憶する記憶手段１３ａ，１３ｂと、その記憶手段１３ａ，１３ｂが記憶する内部相関関係Ｆや外部相関関係Ｋａ〜Ｋｃに基づいて能力指標値α、浄化作用因子Ｐ，Ｌ，Ｑ，θ、浄化効果ｊａ〜ｊｃの各値を相互演算する演算手段１４ａ，１４ａとを備える浄化能力評価システムの具体的システム構成は種々の変更が可能である。
【００９４】
能力指標値α、浄化作用因子Ｐ，Ｌ，Ｑ，θ、浄化効果ｊａ〜ｊｃの各値を相互演算するのに、前述の実施形態で示した如く演算手段１３ａ，１３ｂにより自動演算するのに代え、内部相関関係Ｆや外部相関関係Ｋａ〜Ｋｃを示すグラフや表を用いて各値を人為的に演算するようにしてもよい。
【００９５】
本発明が評価対象とする浄化装置は、洗浄水の吹き付けにより洗浄対象物を洗浄する洗浄ノズルに限らず、気体の吹き付け又は吸引により浄化対象物を浄化する浄化装置や、液槽や洗浄ブラシなどを用いて浄化対象物を浄化する浄化装置、あるいは、電気的作用や磁気的作用などにより浄化対象物を浄化する浄化装置など、定量的に把握することができる複数種の浄化作用因子を有するものであれば、どのような浄化装置であってもよい。
【００９６】
また、浄化対象物も自動車ボディなどの各種物品に限られるものではなく、各種の気体や液体あるいは固形物などであってもよい。
【産業上の利用可能性】
【００９７】
本発明による浄化能力評価方法、及び、浄化能力評価システムは各種形式の浄化装置による種々の浄化に適用することができる。
【符号の説明】
【００９８】
Ｎ                浄化装置，流体噴出ノズル
Ａ                浄化対象物
ｊａ〜ｊｃ        浄化効果
α                能力指標値
Ｐ，Ｌ，Ｑ，θ    浄化作用因子
Ｆ                内部相関関係
Ｋａ〜Ｋｃ        外部相関関係
Ｐ                流体噴出圧力
Ｌ                流体吹付距離
１３ａ            内部関係用の記憶手段
１４ａ            内部関係用の演算手段
１３ｂ            外部関係用の記憶手段
１４ｂ            外部関係用の演算手段
１５              最適化手段
【図１】
2010207685.tif 000003
【図２】
2010207685.tif 000004
【図３】
2010207685.tif 000005
【図４】
2010207685.tif 000006